(57)【要約】【目的】  屋外において使用でき、全天候型で、簡便かつ樹木に設置した捕虫具の効果を長期に渡り維持することができる樹木用の捕虫具及びその使用方法を提供できるようにする。【解決手段】  基部台紙１の左右辺部の両側にまち２を介して側部台紙３を連設し、これら台紙の前面１ａ、３ａ上に粘着剤４、４ａを塗布すると共に、基部台紙１の前面１ａ上の粘着剤４内にスペーサ部材５を配置し、未使用時のときは、このスペーサ部材５上にそれぞれの側部台紙３が折り畳まれていて、樹幹に設置するときは、側部台紙３を開き、基部台紙１および側部台紙３の粘着剤４、４ａ面を樹木に対向させ、スペーサ部材５の上部を樹木の表面に接触させた状態で樹木の上方側に位置する基部台紙１および側部台紙３の端部を同樹木に巻き付け、この巻き付け部を粘着テープなどで樹木に固定するようにした。【選択図】  図１
2013146214.tif 000002
【特許請求の範囲】
【請求項１】
樹木の幹などに設置し、樹木に付く虫を捕獲するための捕虫具であって、基部台紙における左右の辺部の少なくとも一側にまちを介して側部台紙を連設してなり、前記基部台紙は、前面上に虫を捕獲するための粘着部材が配置され、該粘着部材内に上方部を外方に臨ませたスペーサ部材が配置され、上下の辺部にそれぞれ折り目を介して折重ね枠片が形成され、該折重ね枠片が同前面上に折り重ねられてなり、前記側部台紙は、前記基部台紙の前面と同側となる側部台紙前面上に虫を捕獲するための粘着部材が配置され、上下の辺部にそれぞれ折り目を介して折重ね枠片が形成され、該折重ね枠片が同側部台紙前面上に折り重ねられ、さらに、該側部台紙が基部台紙の前面上にスペーサ部材により一定の間隔を保持して折り畳まれてなり、前記基部台紙および側部台紙の背面は、基部台紙と側部台紙の間に有するまち方向にハーフカット線が多数平行に刻設されてなることを特徴とする樹木用の捕虫具。
【請求項２】
前記側部台紙が基部台紙の左右両側にそれぞれ設けられ、観音開き状に開閉できることを特徴とする請求項１の樹木用の捕虫具。
【請求項３】
前記基部台紙および側部台紙が厚紙からなることを特徴とする請求項１の樹木用の捕虫具。
【請求項４】
前記基部台紙および側部台紙における少なくとも中央に、台紙の左端から右端に渡るミシン目が設けられ、捕虫具を上下に２分割できることを特徴とする請求項１の樹木用の捕虫具。
【請求項５】
前記基部台紙および側部台紙に配置される粘着部材が、平面状、山と谷の連続する凹凸状または波型状をなすことを特徴とする請求項１の樹木用の捕虫具。
【請求項６】
粘着剤を左右の側辺部の間に塗布し、一方の側辺部と粘着剤との境界に上下にミシン目を設けたことを特徴とする請求項1の樹木用の捕虫具。
【請求項７】
前記スペーサ部材が添付用として別に用意され、所望により基部台紙、乃至、側部台紙の粘着部材内に配置できるようにしたことを特徴とする請求項１の樹木用の捕虫具。
【請求項８】
樹木の幹などに設置し、樹木に付く虫を捕獲するための捕虫具であって、基部台紙における左右の辺部の少なくとも一側にまちを介して側部台紙を連設してなり、前記基部台紙は、前面上に虫を捕獲するための粘着部材が配置され、該粘着部材内に上方部を外方に臨ませたスペーサ部材が配置され、上下の辺部にそれぞれ折り目を介して折重ね枠片が形成され、該折重ね枠片が同前面上に折り重ねられてなり、前記側部台紙は、前記基部台紙の前面と同側となる側部台紙前面上に虫を捕獲するための粘着部材が配置され、上下の辺部にそれぞれ折り目を介して折重ね枠片が形成され、該折重ね枠片が同側部台紙前面上に折り重ねられ、さらに、該側部台紙が基部台紙の前面上にスペーサ部材のより一定の間隔を保持して折り畳まれてなり、前記基部台紙および側部台紙の背面は、基部台紙と側部台紙の間に有するまち方向にハーフカット線が多数平行に刻設されてなり、樹幹に設置するとき、側部台紙を開き、粘着部材の配置面を樹幹に対向させ、基部台紙および側部台紙を樹幹の太さに合わせてハーフカット線で折曲しながらスペーサ部材の上部を樹幹の表面に接触させ、且つ、樹幹の上方側に位置する基部台紙および側部台紙の端部を同樹幹に略接触させて巻き付けると共に、同巻き付け部を所定の固定手段によって樹幹に固定し、樹木に付く虫を捕獲することを特徴とする樹木用の捕虫具の使用方法。
【請求項９】
粘着剤を左右の側辺部の間に塗布し、一方の側辺部と粘着剤との境界に上下にミシン目を設け、使用時にミシン目のある側辺部を切り取り、他の側辺部を外から重ね合わせることを特徴とする請求項８の樹木用の捕虫具の使用方法。
【発明の詳細な説明】
【技術分野】
【０００１】
本発明は、本体を樹木の幹に巻き付け、同本体に設けた接着手段によって虫を捕獲する樹木用の捕虫具及びその使用方法に関する。
【背景技術】
【０００２】
従来、本体を樹木の幹に巻き付けて放置し、同樹木を上って来た虫を本体下辺部と樹木表皮との間に形成した開口より本体直下に進入させ、同進入した虫を本体に設けた粘着部に接触させて接着捕獲する樹木用の捕虫具は知られている（例えば、特許文献１参照）。
【０００３】
このような補虫具の台紙には、持ち運びや取り付けの容易性の観点から、テープやフィルムなどのやわらかい素材を用い、その片面に粘着剤を薄く塗布したものや、さらにその上に剥離紙を張り付けたものが多くみられた。
しかし、粘着剤を薄く塗布したものは、水分や埃等が粘着面に付着することによる粘着力の低下や、薄く塗布したことによる粘着剤の硬化によっていわゆる“風邪ひき”現象を生じやすく、また、剥離紙を用いた場合であっても、粘着剤には溶剤系のものが多く使用されることから、剥離紙を剥がすと溶剤の揮発が進み、粘着剤が硬化して、上記と同様の現象が生ずることが多かった。
このように、“風邪ひき”現象が起こると、粘着力が低下するので、補虫効果が滅殺し、樹木にセットしても頻繁に新しいものと取り換えなければならず、このような粘着剤を用いた補虫具を、周囲の環境の影響を多く受ける屋外において長期間使用することには不向きであった。
【０００４】
このため、補虫具を屋外において長期間使用するには、接着力が強く耐候性のある粘着剤を台紙に厚めに塗布することが必要となるが、このような粘着剤は、接着力が強いため、やわらかい素材の台紙に塗布すると、台紙の柔軟性により、粘着剤同士が誤って接着したり、粘着剤が他の部材に付着してしまうことがあり、また、粘着剤は厚く塗布すると粘性が高まることから、剥離紙を張り付けることもできないという問題があった。
さらに、粘着力の高い粘着剤を用いると、接着性が高いだけに一旦誤って接着すると剥がすことが困難であるため、運搬時や樹木への設置時に周辺の部材や手などに付着した場合には、補虫具本体を壊したり、身体に付着して作業の遂行を妨げたりすることが多く、粘着力の高い粘着剤を用いた場合であっても、保管や持ち運びが容易で、樹木への設置も簡単にできる捕虫具が求められていた。
【先行技術文献】
【特許文献】
【０００５】
【特許文献１】特開平７−８７号公報
【発明の概要】
【発明が解決しようとする課題】
【０００６】
本発明の目的とするところは、屋外において使用でき、全天候型で、簡便かつ樹木に設置した捕虫具の効果を長期に渡り維持することができる樹木用の捕虫具及びその使用方法を提供することにある。
【課題を解決するための手段】
【０００７】
上述した課題を解決するために、本発明に係る樹木用の捕虫具は、樹木の幹などに設置し、樹木に付く虫を捕獲するための捕虫具であって、基部台紙における左右の辺部の少なくとも一側にまちを介して側部台紙を連設してなり、前記基部台紙は、前面上に虫を捕獲するための粘着部材が配置され、該粘着部材内に上方部を外方に臨ませたスペーサ部材が配置され、上下の辺部にそれぞれ折り目を介して折重ね枠片が形成され、該折重ね枠片が同前面上に折り重ねられてなり、前記側部台紙は、前記基部台紙の前面と同側となる側部台紙前面上に虫を捕獲するための粘着部材が配置され、上下の辺部にそれぞれ折り目を介して折重ね枠片が形成され、該折重ね枠片が同側部台紙前面上に折り重ねられ、さらに、該側部台紙が基部台紙の前面上にスペーサ部材により一定の間隔を保持して折り畳まれてなり、前記基部台紙および側部台紙の背面は、基部台紙と側部台紙の間に有するまち方向にハーフカット線が多数平行に刻設されてなることを特徴とするものであって、その使用方法は、樹幹に設置するとき、側部台紙を開き、粘着部材の配置面を樹幹に対向させ、基部台紙および側部台紙を樹幹の太さに合わせてハーフカット線で折曲しながらスペーサ部材の上部を樹幹の表面に接触させ、且つ、樹幹の上方側に位置する基部台紙および側部台紙の端部を同樹幹に略接触させて巻き付けると共に、同巻き付け部を所定の固定手段によって樹幹に固定し、樹木に付く虫を捕獲することを特徴とするものである。
【０００８】
そして、基部台紙に連設する側部台紙は、所望により、基部台紙の左辺部もしくは右辺部の一方にまちを介して連設する場合や、左辺部および右辺部の両方にまちを介して連設する場合がある。
【０００９】
また、基部台紙と側部台紙との間に設けるまちの幅寸法は、基部台紙上および側部台紙上にそれぞれ設ける２つの粘着部材の最大厚さ寸法をプラスした寸法よりも大なる寸法にしていて、捕虫具が未使用のとき、基部台紙上に折り畳まれている側部台紙のまち近傍の粘着部材と、基部台紙の粘着部材とが接触しないようにしている。
【００１０】
前記基部台紙は、前面上に虫を捕獲するための粘着部材を配置していて、同粘着部材は、少なくとも虫を接着可能なものであればよいが、樹木のことを考慮すれば溶剤系のものは避けた方が望ましい。
また粘着部材の設置形態は、基部台紙上に粘着剤などを直接塗布したり、あるいは、シートなどからなる基台上に粘着剤を塗布したものを、基部台紙上に両面テープなどの固定手段によって固定してもよい。
【００１１】
そして、基部台紙上の粘着部材内に配置しているスペーサ部材は、該粘着部材の粘着力により保持させ、また粘着部材が該スペーサ部材内に進入できるようにして、より安定した保持ができるようにしてもよい。
【００１２】
またスペーサ部材は、捕虫具が保管状態にあるときに、基部台紙上に折り畳まれている側部台紙の粘着部材と、基部台紙の粘着部材とが接触しないようにするために機能させていて、このため、スペーサ部材の厚み寸法は、基部台紙上および側部台紙上にそれぞれ設ける２つの粘着部材の最大厚さ寸法をプラスした寸法よりも大なる寸法にしている。
なお、スペーサ部材は、捕虫具が樹木に設置されて使用状態にあるときは、樹木の表面と捕虫具の下方部にある粘着部材面との間に適当な隙間が開くように機能させている。
【００１３】
該スペーサ部材は、一例として、発泡スチロールやプラスチックなどの合成樹脂素材、エラストマなどのゴム素材から形成し、望ましくは、虫が滑らずに歩ける素材を用いて形成するのがよい。
また、スペーサ部材の上面に柔軟素材を配設するなどして、本捕虫具を樹木に配置した際に、該スペーサ部材の上面と樹木の表面との密着度が向上するようにしてもよい。
【００１４】
そして、上下の辺部にそれぞれ折り目を介して形成する折重ね枠片は、捕虫具が未使用のとき、基部台紙上に折り畳まれている側部台紙の上下辺部近傍の粘着部材と、基部台紙の粘着部材とが接触しないようにしているもので、側部台紙の折重ね枠片と共に機能する。
また、該捕虫具を使用するとき、折重ね枠片を必要に応じて基部台紙の前面上に折り重ねられている状態から開くとき、少なくとも折重ね枠片を基部台紙に平行になるまで開くことができるようにする。
また、基部台紙上における折重ね枠片が折り重ねられる部位には、粘着部材を配置しないようにするのがよい。
【００１５】
前記側部台紙は、前述した基部台紙と同じように該側部台紙の前面上に粘着部材を配置していて、同粘着部材は、少なくとも虫を接着可能なものであればよいが、樹木のことを考慮すれば溶剤系のものは避けた方が望ましい。
また粘着部材の設置形態は、基部台紙上に粘着剤などを直接塗布したり、あるいは、シートなどからなる基台上に粘着剤を塗布したものを、側部台紙上に両面テープなどの固定手段によって固定してもよい。
【００１６】
そして、上下の辺部にそれぞれ折り目を介して形成する折重ね枠片は、捕虫具が未使用のとき、基部台紙上に折り畳まれている側部台紙の上下辺部近傍の粘着部材と、基部台紙の粘着部材とが接触しないようにしているもので、前述した基部台紙の折重ね枠片と共に機能する。
また、該捕虫具を使用するとき、折重ね枠片を必要に応じて基部台紙の前面上に折り重ねられている状態から開くとき、少なくとも折重ね枠片を基部台紙に平行になるまで開くことができるようにする。
また、基部台紙上における折重ね枠片が折り重ねられる部位には、粘着部材を配置しないようにするのがよい。
【００１７】
さらに側部台紙は、基部台紙の粘着部材内に配置しているスペーサ部材を介して同基部台紙の前面上に折り畳んでいて、そして、側部台紙の少なくともスペーサ部材に接触する部位には、粘着部材を配置しないようにするのがよい。
【００１８】
そして、前記基部台紙および側部台紙に設ける粘着部材の具体的な形態としては、平面状であってもよいが、台紙の上下方向に山と谷の連続する凹凸状または波型状をなすようにして、虫が粘着部上を移動する時間を長くすることで該虫が粘着剤に接着し易くすると共に、空気中の埃が風により本捕虫具内に吹き込んだ場合でも該埃の付着面を限定して、粘着面全体が粘着機能を失うことがないようにするのが望ましい。
また、粘着部は、粘着剤の接着効果が続くように厚くしておくのがよい。
【００１９】
前記基部台紙および側部台紙の背面に刻設しているハーフカット線は、台紙を樹木の幹などの太さに合わせて折曲し易くするために設けているものであるため、台紙の素材により、同台紙厚み方向に刻設するカットの深さは適当に選定すればよい。
【００２０】
また基部台紙および側部台紙の素材は特に限定するものではないが、上記ハーフカット線の刻設には厚紙を用いるのが有利である。
【００２１】
そして、ハーフカット線を刻設する間隔は、台紙の素材によって変化し、例えば、スチロール素材などのように非常に折れやすいものであればその間隔は狭くなり、厚紙や樹脂などであれば、適応させる樹木の太さに合わせて適当な間隔で刻設される。
【００２２】
本捕虫具の樹幹への設置は、側部台紙、必要に応じて各折重ね枠片を開き、粘着部材の配置面を樹幹に対向させ、基部台紙および側部台紙を樹幹の太さに合わせてハーフカット線で折曲しながらスペーサ部材の上部を樹幹の表面に接触させ、そして、樹幹の上方側に位置する基部台紙および側部台紙の端部を同樹幹に略接触させて巻き付け、同巻き付け部を、例えば、ガムテープなどの粘着テープや結束バンドなどによって樹幹に固定する。  
【００２３】
また、基部台紙および側部台紙の中央に、台紙の左端から右端に渡るミシン目を設けて、捕虫具を上下に２分割できるようにする場合もある。
さらには、ミシン目を台紙の左右方向や上下方向に適数設けて、捕虫具を上下に３分割以上に分割できるようにしたり、左右に２分割以上に分割できるようにする場合もある。
【００２４】
側部台紙の一方の側辺部と粘着剤の境界に上下にミシン目を設け、使用時にミシン目のある側辺部を切り取ることができるようにする場合もある。
【００２５】
また、基部台紙上の粘着部材内に配置するスペーサ部材の他に、基部台紙や側部台紙の粘着部材内に配置可能な所定寸法の添付用スペーサ部材を用意し、本捕虫具を樹幹に設置する際、樹幹と捕虫具下方部との隙間形成用に粘着部材内に配置されたスペーサ部材と共に、所望により使用できるようにする場合がある。
【００２６】
この添付用スペーサ部材の厚み寸法や素材は、粘着部材内に配置するスペーサ部材と同じにしてもよいが、所望により厚みを変化させたものを同包し、捕虫具を樹幹に設置する際、樹幹と捕虫具下方部との隙間形成の補正にも使用できるようにしてもよい。
勿論、形状なども特に限定するものではなく、例えば、平面視において多角形や、腕を遠心方向に延ばした雪の結晶状などの複雑な形状であってもよい。
【発明の効果】
【００２７】
本発明の樹木用の捕虫具及びこの捕虫器の使用方法によれば、虫捕獲用の粘着部材を内側にして樹木にスカート状に設置することから、該粘着剤の表面に雨が直接かかることもなく、また、空気中の埃が風により本捕虫具内に吹き込んだ場合でも該埃の付着も大に低減できるので、粘着剤の粘着機能が保持されて捕虫具の効果を長期に渡り維持することができる。
【００２８】
また、捕虫具が未使用のとき、保護シートを用いることなく粘着部材の粘着面を保護できるように構成しているので、該捕虫具を使用する際の同捕虫具から生じるゴミの量を低減できてエコロジー化にも貢献できる。
【００２９】
捕虫具を上下に２分割できるようにしているものは、例えば、分割して樹木の２箇所に設置したり、また、分割した一方を粘着面を外方に向けて樹木の幹に巻き付けると共に、これに傘をかけるように粘着面を内方に向けた他方をスカート状に樹木の幹に設置したり、さらには、分割した一方を通常状態たる粘着面を内方に向けて樹木の幹に設置すると共にこの上に粘着面を外方に向けた他方を設置して、捕虫具設置前に樹木の上方にいてここから下りてきた虫も捕獲するようにしたりと、工夫により、虫の捕獲形態のバリエーションを増やすことができる。
【００３０】
さらに、側部台紙の一方の側辺部と粘着剤との境界に上下にミシン目を設けたものは、使用時にミシン目のある側辺部を切り取り、もう一方の側辺部を外から重ね合わせることによって、台紙内面を粘着剤で一様に覆うことができる。
【００３１】
そして、粘着部材内に後から設置する添付用スペーサ部材を添付しているものは、該添付用スペーサ部材を粘着部材内に適当に配置することで、樹木を上ってきて本捕虫具の基部台紙や側部台紙の直下に進入してきた虫を、同添付用スペーサ部材を介して容易に粘着部材の粘着面に誘導することができる。
【図面の簡単な説明】
【００３２】
【図１】本発明に係る捕虫具の一例を示す平面図。
【図２】捕虫具の背面側を示す平面図。
【図３】捕虫具を図１中の矢印Ａ方向より見た図。
【図４】未使用状態の捕虫具を示す平面図。
【図５】図４中のａ−ａ断面図。
【図６】樹木に配置する前の準備過程を示す図。
【図７】捕虫具の使用状態の一例を示す図。
【図８】捕虫具の使用状態の一例を示す図
【図９】捕虫具の使用状態の一例を示す図
【発明を実施するための形態】
【００３３】
以下、本発明に係る樹木用の捕虫具を、添付図面に示す具体例に基づいて説明する。
【００３４】
本実施例に示す捕虫具は、台紙を厚紙で形成し、粘着部材に、高温下の流動性を示すポリイソブチレンポリマーからなる粘着剤を用いている。
【００３５】
本発明の捕虫具は、図１に示すように、基部台紙１における左右の辺部の両側にそれぞれまち２を介して側部台紙３を連設している。
また、図１に示した状態の本捕虫具は、樹木に設置できる状態にしたものであり、未使用（保管）時は、側部台紙３が基部台紙１上に折り畳まれて、図４に示した状態になっている。
【００３６】
基部台紙１は、前面１ａ上に虫を捕獲するための粘着剤４が塗布され、この粘着剤４内に、上方部を粘着剤４の外方に臨ませたスペーサ部材５が配置されており（図３を参照）、またスペーサ部材５は、粘着剤４の粘着力によって保持されている。
【００３７】
さらに該基部台紙１には、上下の辺部にそれぞれ折り目６を介して折重ね枠片７が形成されており、この折重ね枠片７は、未使用（保管）時には基部台紙１の前面１ａ上に折り重ねられている（図５を参照）。
【００３８】
側部台紙３は、基部台紙１の前面１ａと同側となる前面３ａ上に、基部台紙１の前面１ａより続く粘着剤４が塗布されている。粘着剤４を左右の側辺部３ｃの間に設け、一方の側辺部３ｃと粘着剤４との境界に上下にミシン目３ｄを設け、使用時にミシン目３ｄのある側辺部を切り取り、その他の側辺部３ｃと外から重ね合わせるようにしてもよい。このようにすると、台紙内面は一様に粘着剤で覆われ、内周面全体に粘着剤の途切れはない。
【００３９】
さらに該側部台紙３には、上下の辺部にそれぞれ折り目８を介して折重ね枠片９が形成されており、この折重ね枠片９は、未使用（保管）時には側部台紙３の前面３ａ上に折り重ねられている（図５を参照）。
【００４０】
また粘着剤４は、山と谷の連続する波型状に設けている（図３を参照）。
【００４１】
そして、図２に示すように、基部台紙１の背面１ｂおよび側部台紙３の背面３ｂには、ハーフカット線１０が台紙の上下方向に多数平行に刻設されている。
本実施例中の符合１１は、捕虫具を上下に２分割できるよう基部台紙１および側部台紙３に形成したミシン目である。
【００４２】
なお、前記スペーサ部材５は、図５に示すように、未使用（保管）時には基部台紙１上に折り畳まれている側部台紙３を支持し、基部台紙１の前面１ａ上の粘着剤４と側部台紙３の前面３ａ上の粘着剤４ａとが接触しないようにしている。
【００４３】
図６により、未使用（保管）時の状態の捕虫具を、樹木に配置できる状態にするまでの過程を示す。
先ず、未使用（保管）時の状態の捕虫具における基部台紙１上に折り畳まれている側部台紙３を図中の矢印Ｂ方向に開き（（ａ）図を参照）、側部台紙３の前面３ａを基部台紙１の前面１ａに略平行に位置させる（（ｂ）図を参照）。
次いで、基部台紙１の前面１ａ上に折り重ねられている折重ね枠片７を図中の矢印Ｃ方向に開き、折重ね枠片７面を基部台紙１の前面１ａに略平行に位置させる（（ｃ）図を参照）。
同じく、側部台紙３の前面３ａ上に折り重ねられている折重ね枠片９を図中の矢印Ｃ方向に開き、折重ね枠片９面を側部台紙３の前面３ａに略平行に位置させる（（ｃ）図を参照）。
【００４４】
そして、上記、樹木に配置できる状態にした捕虫具は、基部台紙１および側部台紙３を同粘着剤４、４ａ面を樹木に向け、樹幹１２の太さに合わせてハーフカット線１０で折曲しながらスペーサ部材５の上部を樹幹１２の表面に接触させ、そして、樹幹１２の上方側に位置する基部台紙１および側部台紙３の端部を同樹幹１２に略接触させて巻き付け、同巻き付け部を粘着テープ１３で樹幹１２に固定する。（図７を参照）。
【００４５】
図７は、捕虫具の使用状態の一例を示していて、捕虫具を分割しないで樹幹１２に配置したもので、捕虫具の下方部と樹幹１２との間に有する隙間たる進入口１４は大なる開口となる。
図８は、分割した一方の捕虫具を樹幹１２に配置したもので、捕虫具の下方部と樹幹１２との間に有する隙間たる進入口１４は小なる開口となる。したがって、捕獲しようとする虫の大きさにより使い分けもできる。また、図９は、粘着部材内の任意の位置に添付用スペーサ部材５aを設けた捕虫具を樹幹１２に配置したもので、捕虫具と樹幹１２の間を添付用スペーサ部材５aで架橋することによって、虫を粘着部材の粘着面に誘導する経路を増やすことができる。
【００４６】
そして、捕虫具の下方から樹幹１２を上ってきた虫は、捕虫具の下方部と樹幹１２との間に有する隙間たる進入口１４から該捕虫具の直下に進入する。
同進入した虫が大なるものであれば、虫の多くに有する上方に移動しようとする習性から、進行する虫の背が次第に粘着剤４、４ａに接近してやがて同背が粘着剤４、４ａに接触すると共に接着され、虫は捕獲される。
また虫が小なるものでれば、該捕虫具の直下を動き回った虫が、虫の多くに有する上方に移動しようとする習性から、スペーサ部材５又は添付用スペーサ部材５aを上がって粘着剤４、４ａ面に進み、虫の足などが同粘着剤４、４ａに接触すると共に接着され、虫は捕獲される。
【符号の説明】
【００４７】
１  基部台紙
１ａ  前面
１ｂ  背面
２  まち
３  側部台紙
３ａ  前面
３ｂ  背面
３ｃ  側辺部
３ｄ  ミシン目
４  粘着剤
４ａ  粘着剤
５  スペーサ部材     
５ａ  添付用スペーサ部材
６  折り目
７  折重ね枠片
８  折り目
９  折重ね枠片
１０  ハーフカット線
１１  ミシン目
１２  樹幹
１３  粘着テープ
１４  進入口
【図１】
2013146214.tif 000003
【図２】
2013146214.tif 000004
【図３】
2013146214.tif 000005
【図４】
2013146214.tif 000006
【図５】
2013146214.tif 000007
【図６】
2013146214.tif 000008
【図７】
2013146214.tif 000009
【図８】
2013146214.tif 000010
【図９】
2013146214.tif 000011